(57)【要約】【課題】ハウジングの幅方向に複数組の栓刃挿入口を並設する場合に、ハウジングの幅方向の寸法を比較的小さくできるテーブルタップを提供する。【解決手段】ハウジング２は、長方形状の底面２１と反対側において、ハウジング２の長手方向に沿って複数組の栓刃挿入口１を各一対の栓刃挿入口１がハウジング２の長手方向に並ぶように１列に列設した機能面２０を、ハウジング２の幅方向に複数面有する。機能面２０のうち少なくとも１面は、ハウジング２の幅方向の一端に向かってハウジング２の底面２１に近づくように傾斜している。【選択図】図１
2005203330.tif 000002
【特許請求の範囲】
【請求項１】
長方形状の底面を有し底面と反対側においてそれぞれ栓刃が挿入される複数組の栓刃挿入口をそれぞれ長手方向に列設した機能面が幅方向に複数並設されたハウジングと、ハウジング内に収納され各組の栓刃挿入口に挿入される栓刃をそれぞれ受ける刃受けばねと刃受けばねに電気的に接続され電源コードが結線される端子部とを有する導電部材とを備え、各組の各一対の栓刃挿入口はそれぞれハウジングの長手方向に並んでおり、機能面のうち少なくとも１面はハウジングの幅方向の一端に向かって底面に近づくように傾斜していることを特徴とするテーブルタップ。
【請求項２】
前記ハウジングは、耐熱性を有する合成樹脂成形品の耐熱部と、耐衝撃性を有する合成樹脂成形品の耐衝撃部とで構成され、少なくとも各組の前記栓刃挿入口の周囲を耐熱部とすることを特徴とする請求項１記載のテーブルタップ。
【請求項３】
前記耐熱部は、複数組の前記栓刃挿入口に跨る形で形成されていることを特徴とする請求項２記載のテーブルタップ。
【請求項４】
前記ハウジングは、前記底面を含むベースと、前記各機能面を含むカバーとの２部材を組み合わせることにより構成され、ベースを前記耐衝撃部とし、カバーを前記耐熱部とすることを特徴とする請求項２記載のテーブルタップ。
【請求項５】
前記耐衝撃部は、前記耐熱部に対して前記底面側から当接する形に突設され前記栓刃が挿入される向きに作用する荷重を受ける受け片を有することを特徴とする請求項２ないし請求項４のいずれか１項に記載のテーブルタップ。
【請求項６】
前記導電部材は、前記ハウジングの長手方向に隣接する複数組の前記栓刃挿入口に対応する各組の一方の前記刃受けばね同士を互いに電気的に接続する接続片を有し、接続片は前記耐熱部と前記耐衝撃部との間に配置されることを特徴とする請求項２ないし請求項５のいずれか１項に記載のテーブルタップ。
【請求項７】
前記機能面は、前記ハウジングの幅方向に２面並設されていることを特徴とする請求項１ないし請求項６のいずれか１項に記載のテーブルタップ。
【請求項８】
前記ハウジングの幅方向における両端部に設けた各機能面は、それぞれハウジングの幅方向の各一端に向かって前記底面に近づくように傾斜することを特徴とする請求項１ないし請求項７のいずれか１項に記載のテーブルタップ。
【請求項９】
前記ハウジングの長手方向に隣接する複数組の前記栓刃挿入口は、一対の栓刃と接続コードとが互いに直交する向きに突出するアダプタ本体をそれぞれ有する複数個のＡＣアダプタにおける各組の栓刃を、アダプタ本体を隣接する栓刃挿入口に干渉させることなく挿入可能なピッチで配置されることを特徴とする請求項１ないし請求項８のいずれか１項に記載のテーブルタップ。
【請求項１０】
前記電源コードと前記端子部との間に接続され複数組の前記刃受けばねへの通電を一括してオンオフするように操作される操作部を有する電源スイッチが付加され、電源コードは前記ハウジングの長手方向の一端部においてハウジング内に導入され、端子部はハウジングの長手方向の当該一端部に配置され、電源スイッチはハウジングの長手方向の他端部に配置されることを特徴とする請求項１ないし請求項９のいずれか１項に記載のテーブルタップ。
【請求項１１】
前記電源スイッチは、直方体状のスイッチケースを有し、スイッチケースの長手方向を前記ハウジングの長手方向に一致させる向きにハウジングに固定されることを特徴とする請求項１０記載のテーブルタップ。
【請求項１２】
前記電源スイッチは、前記ハウジングの長手方向における前記他端部の端面から前記操作部を露出させるようにハウジングに固定されることを特徴とする請求項１０記載のテーブルタップ。
【請求項１３】
前記ハウジングの長手方向の前記他端部において前記機能面のうち前記底面に平行となる機能面に連続しハウジングの長手方向の端縁に向かって底面に近づくように傾斜する傾斜面が形成され、前記電源スイッチは、直方体状のスイッチケースを有し、スイッチケースの長手方向を当該傾斜面の傾斜方向に交差させた形で配置され当該傾斜面から前記操作部を露出させるようにハウジングに固定されることを特徴とする請求項１０記載のテーブルタップ。
【請求項１４】
前記電源スイッチは前記機能面のうちの１面に配設され、他の機能面に設けた前記栓刃挿入口のうちの１組は、前記ハウジングの幅方向において電源スイッチに並設されていることを特徴とする請求項１０ないし請求項１３のいずれか１項に記載のテーブルタップ。
【請求項１５】
前記電源スイッチは前記機能面のうちの１面に配設され、前記電源コードと前記導電部材との間で異常電流が通過すると刃受けばねへの通電を遮断するブレーカが前記ハウジングの幅方向において電源スイッチに並設されていることを特徴とする請求項１０ないし請求項１３のいずれか１項に記載のテーブルタップ。
【請求項１６】
前記電源スイッチは前記機能面のうちの１面に配設され、他の機能面には各組の栓刃挿入口に接続する機器名が記載されるネーム部が前記ハウジングの幅方向において電源スイッチに並設されていることを特徴とする請求項１０ないし請求項１３のいずれか１項に記載のテーブルタップ。
【請求項１７】
各機能面にそれぞれ列設された複数組の前記栓刃挿入口に対応する複数組の前記刃受けばね同士は互いに電気的に接続されており、前記電源スイッチは互いに電気的に接続された刃受けばねごとの通電をオンオフするように各機能面ごとにそれぞれ配設されることを特徴とする請求項１０ないし請求項１３のいずれか１項に記載のテーブルタップ。
【請求項１８】
前記導電部材は、前記ハウジングの幅方向に隣接する複数組の前記栓刃挿入口に対応する各組の一方の前記刃受けばね同士を連結する連結片を有し、前記ハウジングは、互いに隣接して交差する２面の前記機能面の交差角度と同じ角度の凸状に形成され前記２面の機能面にそれぞれ設けられた栓刃挿入口に対応する刃受けばねを連結する連結片が載置される矯正突起と、前記連結片を前記２面の機能面の交差角度と同じ角度に曲げた状態で前記連結片を矯正突起との間に挟持する矯正凹部とを有することを特徴とする請求項１ないし請求項１６のいずれか１項に記載のテーブルタップ。
【発明の詳細な説明】
【技術分野】
【０００１】
本発明は、それぞれ電気機器へ電源供給する複数個のコンセント口を１個のハウジングに備えたテーブルタップに関するものである。
【背景技術】
【０００２】
一般に、この種のテーブルタップは、直方体状であってそれぞれ栓刃が挿入される複数組の栓刃挿入口が長手方向に列設されたハウジングと、ハウジング内に収納され各組の栓刃挿入口に挿入される栓刃をそれぞれ受ける刃受けばねとを備える。各組の各一対の栓刃挿入口はハウジングの幅方向に並んでいる。各組の一方の刃受けばねは、各組の一方の刃受けばね同士を接続する接続片およびハウジングの長手方向の一端部に配設された端子部とともに導電部材を構成する。各組の他方の刃受けばねも同様に、接続片および端子部とともに導電部材を構成する。一対の端子部には、ハウジングの長手方向の一端部からハウジング内に導入される電源コードが結線される。
【０００３】
一般にこのようなテーブルタップにおいては、隣接する複数組の栓刃挿入口は、各組の栓刃挿入口にそれぞれ一般のプラグ栓刃を挿入した場合に、プラグ同士が互いに干渉することがないようなピッチで配置されている。
【０００４】
ところで、テーブルタップに対して一般のプラグよりハウジングに対向する面が大きいＡＣアダプタを接続する場合に、ＡＣアダプタによって隣接する一対の栓刃挿入口を含む複数組の栓刃挿入口を閉塞してしまうことがないように、図３１に示すように、複数組の栓刃挿入口１のうちハウジング２の長手方向の両端部に設けた各組の栓刃挿入口１が、それぞれ他の組の栓刃挿入口１に対して離れて設けられたテーブルタップが知られている。このテーブルタップでは、ＡＣアダプタを接続する場合に、ハウジング２の長手方向の両端部に設けた各組の栓刃挿入口１を使用することによって、ＡＣアダプタを他の栓刃挿入口１に干渉しないように用いることを可能にしている（特許文献１参照）。
【特許文献１】特開平１１−２５０９９８号公報（第４−５頁、図６、１３）
【発明の開示】
【発明が解決しようとする課題】
【０００５】
しかし、図３１に示すテーブルタップでは、複数組の栓刃挿入口１のうち隣接する栓刃挿入口１に干渉することなくＡＣアダプタを接続できるのは、ハウジング２の長手方向の両端部に設けた２組に限定される。したがって、３個以上のＡＣアダプタを同時に接続する場合には、少なくとも１組の栓刃挿入口１にＡＣアダプタが干渉することにより使用可能な栓刃挿入口１の組数が低減する不具合が生じる。
【０００６】
これに対して、ＡＣアダプタを接続しても隣接する栓刃挿入口１にＡＣアダプタが干渉することがないように、各組の各一対の栓刃挿入口１をハウジング２の長手方向に並べて配置したテーブルタップも考えられている。ところで、各組の栓刃挿入口１は、一対の栓刃挿入口１の間隔（すなわち一対の栓刃間の距離）が、１個の栓刃挿入口１における長手方向の寸法より大きく設定されている。したがって、図３１に示すような大きさのハウジング２に対して、各組の各一対の栓刃挿入口１がハウジング２の幅方向に並ぶものと同組数の栓刃挿入口１を、各組の各一対の栓刃挿入口１がハウジング２の長手方向に並ぶように設けるためには、各組の栓刃挿入口１をハウジング２の幅方向に２組ずつ並設する必要がある。
【０００７】
しかし、ハウジング２の幅方向に複数組の栓刃挿入口１を並設すると、図３１に示したような各組の各一対の栓刃挿入口１がハウジング２の幅方向に並ぶテーブルタップに比べて、ハウジング２の幅方向の寸法が大きくなってしまう。また、ハウジング２の幅方向の寸法を小さくしようとすると、ハウジング２の幅方向に隣接する各組の栓刃挿入口１同士が近づくことになり、隣接する栓刃挿入口１に干渉することなくＡＣアダプタを接続することができなくなるという問題が生じる。
【０００８】
本発明は上記事由に鑑みて為されたものであり、各組の各一対の栓刃挿入口をハウジングの長手方向に並べ、かつハウジングの幅方向に複数組の栓刃挿入口を並設する場合に、ハウジングの幅方向の寸法を比較的小さくできるテーブルタップを提供することを目的とする。
【課題を解決するための手段】
【０００９】
請求項１の発明では、長方形状の底面を有し底面と反対側においてそれぞれ栓刃が挿入される複数組の栓刃挿入口をそれぞれ長手方向に列設した機能面が幅方向に複数並設されたハウジングと、ハウジング内に収納され各組の栓刃挿入口に挿入される栓刃をそれぞれ受ける刃受けばねと刃受けばねに電気的に接続され電源コードが結線される端子部とを有する導電部材とを備え、各組の各一対の栓刃挿入口がそれぞれハウジングの長手方向に並んでおり、機能面のうち少なくとも１面がハウジングの幅方向の一端に向かって底面に近づくように傾斜していることを特徴とするテーブルタップ。
【００１０】
この構成によれば、各組の各一対の栓刃挿入口をハウジングの長手方向に並べ、かつハウジングの幅方向に複数組の栓刃挿入口を並設したものにおいて、機能面のうち少なくとも１面を傾斜させることによって、ハウジングの幅方向の寸法を比較的小さくすることができる。
【００１１】
請求項２の発明は、請求項１の発明において、前記ハウジングが、耐熱性を有する合成樹脂成形品の耐熱部と、耐衝撃性を有する合成樹脂成形品の耐衝撃部とで構成され、少なくとも各組の前記栓刃挿入口の周囲を耐熱部とすることを特徴とする。
【００１２】
この構成によれば、ハウジングが耐衝撃性を備えるから、落下による衝撃や他の物品との衝突があっても破損しにくく、しかも各組の栓刃挿入口の周囲のような耐熱性が要求される箇所には耐熱性を付与することができる。
【００１３】
請求項３の発明は、請求項２の発明において、前記耐熱部が、複数組の前記栓刃挿入口に跨る形で形成されていることを特徴とする。
【００１４】
この構成によれば、耐衝撃部と耐熱部との両方の形状を簡略化でき、成形が容易になる。
【００１５】
請求項４の発明は、請求項２の発明において、前記ハウジングが、前記底面を含むベースと、前記各機能面を含むカバーとの２部材を組み合わせることにより構成され、ベースを前記耐衝撃部とし、カバーを前記耐熱部とすることを特徴とする。
【００１６】
この構成によれば、ハウジングを構成する部材点数を増加させることなく、耐熱性と耐衝撃性とを併せ持たせることができる。
【００１７】
請求項５の発明は、請求項２ないし請求項４のいずれかの発明において、前記耐衝撃部が、前記耐熱部に対して前記底面側から当接する形に突設され前記栓刃が挿入される向きに作用する荷重を受ける受け片を有することを特徴とする。
【００１８】
この構成によれば、プラグやＡＣアダプタをコンセント口に接続する際に栓刃を挿入する向きに作用する荷重を耐衝撃部によって受けるものであって、耐熱部の破損の防止につながる。
【００１９】
請求項６の発明は、請求項２ないし請求項５のいずれかの発明において、前記導電部材が、前記ハウジングの長手方向に隣接する複数組の前記栓刃挿入口に対応する各組の一方の前記刃受けばね同士を互いに電気的に接続する接続片を有し、接続片が前記耐熱部と前記耐衝撃部との間に配置されることを特徴とする。
【００２０】
この構成によれば、接続片を耐熱部の外側に配置しているから、接続片を耐熱部で覆う場合に比べて耐熱部を小さくすることができ、ハウジングの小型化につながる。
【００２１】
請求項７の発明は、請求項１ないし請求項６のいずれかの発明において、前記機能面が、前記ハウジングの幅方向に２面並設されていることを特徴とする。
【００２２】
この構成によれば、従来構成と同程度のサイズで同程度の組数の栓刃挿入口を設けることができる。
【００２３】
請求項８の発明は、請求項１ないし請求項７のいずれかの発明において、前記ハウジングの幅方向における両端部に設けた各機能面が、それぞれハウジングの幅方向の各一端に向かって前記底面に近づくように傾斜することを特徴とする。
【００２４】
この構成によれば、機能面のうち１面だけを傾斜させる場合に比べてハウジングの幅方向の寸法を小さくすることができる。
【００２５】
請求項９の発明は、請求項１ないし請求項８のいずれかの発明において、前記ハウジングの長手方向に隣接する複数組の前記栓刃挿入口が、一対の栓刃と接続コードとが互いに直交する向きに突出するアダプタ本体をそれぞれ有する複数個のＡＣアダプタにおける各組の栓刃を、アダプタ本体を隣接する栓刃挿入口に干渉させることなく挿入可能なピッチで配置されることを特徴とする。
【００２６】
この構成によれば、底面をカウンタなどの適宜の台に対向させてテーブルタップを使用する場合に、機能面のうちハウジングの幅方向の一端に向かって底面に近づくように傾斜する１面に設けた一対の栓刃挿入口に対してＡＣアダプタの一対の栓刃を挿入することによって、ＡＣアダプタの接続コードを台側に向けて突出させることができ、ＡＣアダプタを含めたテーブルタップの台上での占有面積を比較的小さくすることができる。
【００２７】
請求項１０の発明は、請求項１ないし請求項９のいずれかの発明において、前記電源コードと前記端子部との間に接続され複数組の前記刃受けばねへの通電を一括してオンオフするように操作される操作部を有する電源スイッチが付加され、電源コードが前記ハウジングの長手方向の一端部においてハウジング内に導入され、端子部がハウジングの長手方向の当該一端部に配置され、電源スイッチがハウジングの長手方向の他端部に配置されることを特徴とする。
【００２８】
この構成によれば、複数の電気機器への通電を一括してオンオフすることができ、さらに、端子部と電源スイッチとをハウジングの長手方向の両端部に分けて設けることにより、端子部と電源スイッチとを１箇所に設ける場合に比べて端子部と電源スイッチとのそれぞれに対する電源コードの結線が容易になるから、端子部および電源スイッチの周囲に電源コードの結線用に空間を確保する必要がなくハウジングを小型化することができる。
【００２９】
請求項１１の発明は、請求項１０の発明において、前記電源スイッチが、直方体状のスイッチケースを有し、スイッチケースの長手方向を前記ハウジングの長手方向に一致させる向きにハウジングに固定されることを特徴とする。
【００３０】
この構成によれば、スイッチケースの長手方向がハウジングの長手方向に一致しない場合に比べてハウジングの幅方向の寸法を小さくすることができる。
【００３１】
請求項１２の発明は、請求項１０の発明において、前記電源スイッチが、前記ハウジングの長手方向における前記他端部の端面から前記操作部を露出させるようにハウジングに固定されることを特徴とする。
【００３２】
この構成によれば、ハウジングの底面を下方に向けて使用する場合に、ハウジングの機能面側に対する落下物等によって電源スイッチの操作部が誤って操作されることを防止できる。
【００３３】
請求項１３の発明は、請求項１０の発明において、前記ハウジングの長手方向の前記他端部において前記機能面のうち前記底面に平行となる機能面に連続しハウジングの長手方向の端縁に向かって底面に近づくように傾斜する傾斜面が形成され、前記電源スイッチは、直方体状のスイッチケースを有し、スイッチケースの長手方向を当該傾斜面の傾斜方向に交差させた形で配置され当該傾斜面から前記操作部を露出させるようにハウジングに固定されることを特徴とする。
【００３４】
この構成によれば、ハウジングの底面を下方に向けて使用する場合に、ハウジングの機能面側に対する落下物等によって電源スイッチの操作部が誤って操作されることを防止でき、しかも、ハウジングにおける底面と各機能面との間の寸法を比較的小さくすることができる。
【００３５】
請求項１４の発明は、請求項１０ないし請求項１３のいずれかの発明において、前記電源スイッチが前記機能面のうちの１面に配設され、他の機能面に設けた前記栓刃挿入口のうちの１組が、前記ハウジングの幅方向において電源スイッチに並設されていることを特徴とする。
【００３６】
この構成によれば、電源スイッチを配設することによってハウジングにおける電源スイッチの側方に生じるデッドスペースを栓刃挿入口として利用することにより、同時に接続可能な電気機器の数を増やすことができる。
【００３７】
請求項１５の発明は、請求項１０ないし請求項１３のいずれかの発明において、前記電源スイッチが前記機能面のうちの１面に配設され、前記電源コードと前記導電部材との間で異常電流が通過すると刃受けばねへの通電を遮断するブレーカが前記ハウジングの幅方向において電源スイッチに並設されていることを特徴とする。
【００３８】
この構成によれば、電源スイッチを配設することによってハウジングにおける電源スイッチの側方に生じるデッドスペースにブレーカを設けることにより、使用時の安全性が向上する。
【００３９】
請求項１６の発明では、請求項１０ないし請求項１３のいずれかの発明において、前記電源スイッチは前記機能面のうちの１面に配設され、他の機能面には各組の栓刃挿入口に接続する機器名が記載されるネーム部が前記ハウジングの幅方向において電源スイッチに並設されていることを特徴とする。
【００４０】
この構成によれば、電源スイッチを配設することによってハウジングにおける電源スイッチの側方に生じるデッドスペースにネーム部を設けることにより、ネーム部を視認するだけで各組の栓刃挿入口に何が接続されているのかを容易に確認できる。
【００４１】
請求項１７の発明は、請求項１０ないし請求項１３のいずれかの発明において、各機能面にそれぞれ列設された複数組の前記栓刃挿入口に対応する複数組の前記刃受けばね同士が互いに電気的に接続されており、前記電源スイッチが互いに電気的に接続された刃受けばねごとの通電をオンオフするように各機能面ごとにそれぞれ配設されることを特徴とする。
【００４２】
この構成によれば、各機能面にそれぞれ列設された複数組の栓刃挿入口に接続される電気機器ごとに通電をオンオフすることができるので、各機能面ごとに系統を設定しておけば系統別に通電をオンオフすることができる。
【００４３】
請求項１８の発明は、請求項１ないし請求項１６のいずれかの発明において、前記導電部材が、前記ハウジングの幅方向に隣接する複数組の前記栓刃挿入口に対応する各組の一方の前記刃受けばね同士を連結する連結片を有し、前記ハウジングが、互いに隣接して交差する２面の前記機能面の交差角度と同じ角度の凸状に形成され前記２面の機能面にそれぞれ設けられた栓刃挿入口に対応する刃受けばねを連結する連結片が載置される矯正突起と、前記連結片を前記２面の機能面の交差角度と同じ角度に曲げた状態で前記連結片を矯正突起との間に挟持する矯正凹部とを有することを特徴とする。
【００４４】
この構成によれば、互いに隣接して交差する２面の機能面にそれぞれ設けられた栓刃挿入口に対応する刃受けばねを連結する連結片の曲げ角度は、すべて前記２面の機能面の交差角度と同じ角度に矯正されるからばらつくことがない。
【発明の効果】
【００４５】
本発明では、各組の各一対の栓刃挿入口をハウジングの長手方向に並べ、かつハウジングの幅方向に複数組の栓刃挿入口を並設したものにおいて、機能面のうち少なくとも１面を傾斜させることによって、ハウジングの幅方向の寸法を比較的小さくすることができるという利点がある。
【発明を実施するための最良の形態】
【００４６】
（実施形態１）
本実施形態のテーブルタップは、図１に示すように、各一対の栓刃挿入口１がハウジング２の長手方向に並ぶ形で、複数組（図では３組）の栓刃挿入口１がハウジング２の長手方向に並設されている。さらに、ハウジング２の幅方向においても複数組（図では２組）の栓刃挿入口１が並設される。要するに、本実施形態では、複数組（図では６組）の栓刃挿入口１をハウジング２の幅方向に複数列になるようにハウジング２の長手方向に列設している。以下では、ハウジング２の長手方向に沿って１列に並ぶ複数組の栓刃挿入口１が設けられた部位をハウジング２における機能面２０とする。すなわち、図１では、ハウジング２の幅方向に２列の栓刃挿入口１が設けられているので、ハウジング２は、機能面２０を幅方向に２面有する。
【００４７】
ところで、本実施形態は、ハウジング２の形状が従来構成と相違する。詳しくは、ハウジング２は、長方形状の底面２１を含むベース２２と、機能面２０を含みベース２２との間に後述する導電部材６を収納するカバー２３とを組み合わせて箱状に形成される。ベース２２の形状は従来構成と同様であるが、カバー２３における機能面２０のうちの１面がハウジング２の幅方向の一端に向かって底面２１に近づくように傾斜する点が従来構成と相違している。すなわち、２面の機能面２０は互いに面一ではなく、ハウジング２の長手方向に直交する断面は、図１（ｃ）に示す側面図のように五角形状になる。
【００４８】
このように機能面２０のうち少なくとも１面を傾斜させることによって、機能面２０を傾斜させない場合に比べて、ハウジング２の幅方向の寸法を小さくすることができる。結果的に、複数組の栓刃挿入口１を、ハウジング２の長手方向に各組の各一対の栓刃挿入口１が並ぶようにハウジング２の長手方向に複数組ずつ並設するとともに、ハウジング２の幅方向に複数組ずつ並設する構成を採用しても、ハウジング２の幅方向の寸法を比較的小さくすることができる。
【００４９】
導電部材６は、図２に示すように、刃受けばね６０と、電源コード７が結線される端子部６１とを備え、ハウジング２の長手方向に長い接続片６２およびハウジング２の幅方向に長い連結片６３によって端子部６１と刃受けばね６０とを電気的に接続して構成される。連結片６３は、ハウジング２の幅方向に隣接する刃受けばね６０同士を同極とするように連結しており、ハウジング２の長手方向に交互に異極となるように、図３に示すように接続片６２によって端子部６１に接続されている。導電部材６は２個１組であって、図４に示すように、互いの接続片６２を平行させて配設される。この構成では、接続片６２や連結片６３を延長して刃受けばね６０を増設することによって、ハウジング２に収納する導電部材６の個数を増加させることなくハウジング２の長手方向や幅方向にコンセント口を増設することが可能である。
【００５０】
各刃受けばね６０は、それぞれ互いに対向する一対のばね片を有し、両ばね片の一端部同士が連続一体に連結され、両ばね片の他端部（以下では導入部と呼ぶ）間が互いに近づく向きに復帰力が生じる。栓刃は、機能面２０に直交する向きに導入部からばね片の一端部に向かって挿入される。本実施形態では、２面の機能面２０は互いに交わっているから、機能面２０ごとに刃受けばね６０の導入部の向きが異なることになる。したがって、図４に示すように、連結片６３を機能面２０の交差角度と同じ角度に曲げることによって、ハウジング２の幅方向に隣接する刃受けばね６０を互いに機能面２０の交差角度だけ傾けて各刃受けばね６０がそれぞれ機能面２０に直交する向きに導入部を向けるようにしている。
【００５１】
本実施形態のテーブルタップにＡＣアダプタを接続する場合について、図５および図６を参照して以下に説明する。ＡＣアダプタ３は、一対の栓刃３０が突設されるとともに一対の栓刃３０に直交する向きに接続コード３１が導入されるアダプタ本体３２を有する一般的なものを想定する。
【００５２】
本実施形態におけるハウジング２の長手方向に隣接する複数組の栓刃挿入口１は、各組の栓刃挿入口１にそれぞれＡＣアダプタ３を接続する場合に、アダプタ本体３２が隣接する栓刃挿入口１に干渉しないピッチＰ１で配置されている。たとえば、本実施形態では、携帯電話機の充電用のＡＣアダプタ３を接続する場合を想定し４１ｍｍのピッチＰ１を採用しているので、図５のように、ハウジング２の長手方向の両端部に設けた各組の栓刃挿入口１に携帯電話機の充電用のＡＣアダプタ３をそれぞれ接続しても、ハウジング２の長手方向の中央部に設けた一対の栓刃挿入口１には一般のプラグ３３を接続することができる。すなわち、本実施形態のテーブルタップには、４個のＡＣアダプタ３と２個のプラグとを同時に接続することができる。
【００５３】
また、図６に示すように、ハウジング２をカウンタなどの適宜の台Ａに載せ、底面２１が下になるようにテーブルタップを使用する場合には、ＡＣアダプタ３を底面２１に対して傾斜する機能面２０に設けた一対の栓刃挿入口１に接続することによって、接続コード３１の突出方向を台Ａ側に向けることができるので、ＡＣアダプタ３を含めたテーブルタップの台Ａ上での占有面積を比較的小さくすることができる。さらに、ＡＣアダプタ３を含めたテーブルタップの底面２１に直交する向きの寸法も比較的小さくなる。
【００５４】
ハウジング２は、耐熱性を有する熱硬化性合成樹脂成形品の耐熱部２４と、耐衝撃性を有する熱可塑性合成樹脂成形品の耐衝撃部２５とで構成され、耐衝撃部２５によって耐熱部２４を包むように形成されるとともに機能面２０における各組の栓刃挿入口１の周囲に耐熱部２４を露出させている。
【００５５】
また、図７に示すものでは、ハウジング２の長手方向に隣接する複数組の栓刃挿入口１は、各組の栓刃挿入口１にそれぞれ一般のプラグを接続する場合に、隣接するプラグ同士が干渉することのないピッチＰ２で配置されている。たとえば、図７に示すものでは、２９ｍｍのピッチＰ２を採用している。
【００５６】
一方、図８に示すように、ハウジング２の長手方向に隣接する複数組の栓刃挿入口１のピッチＰ３を広げることも容易である。このテーブルタップでは、携帯電話機の充電用のＡＣアダプタ３よりもさらに大型のものであっても隣接する栓刃挿入口１に干渉することなく接続することができる。
【００５７】
なお、電源コード７は従来構成と同様にハウジング２の長手方向の一端部においてハウジング２内に導入されるものであって、ハウジング２における電源コード７が導入される部位にはブッシング２７が設けられている。ハウジング２の長手方向におけるブッシング２７を設けた一端部においては、ハウジング２内において端子部６１が設けられているので、ハウジング２の長手方向の一端縁から離れて各栓刃挿入口１が配置される。
【００５８】
（実施形態２）
本実施形態のテーブルタップは、図９および図１０に示すように、耐熱部２４を複数組の栓刃挿入口１に跨る形で連続させて形成した点が実施形態１のテーブルタップと相違する。
【００５９】
この構成によれば、耐熱部２４における凹凸形状を少なくすることができ、かつ耐衝撃部２５において耐熱部２４を露出させる開口部２６を大きく１個形成すればよいので、耐熱部２４と耐衝撃部２５との両方の形状を簡略化することができる。しかも、この構成では耐衝撃部２５の開口部２６を比較的大きくとっているので、耐衝撃部２５の使用材料が少なくなる。その他の構成および機能は実施形態１と同様である。
【００６０】
以下では、本実施形態のテーブルタップを示す図面を参照して、上述したテーブルタップの具体的な構造について説明する。
【００６１】
ハウジング２は上述したように耐熱部２４と耐衝撃部２５との２部材で構成されるものであって、ベース２２における耐熱部２４を内ベースとし耐衝撃部２５を外ベースとするとともに、カバー２３における耐熱部２４を内カバーとし耐衝撃部２５を外カバーとしている。ハウジング２は、図１１に示すように、内ベース１０と内カバー１２との間に導電部材６を納装するようにして、外ベース１１および外カバー１３で内ベース１０および内カバー１２を包むように外ベース１１と外カバー１３とのそれぞれに設けた係合部１４を互いに係合させることによって組み立てられる。ハウジング２の長手方向において端子部６１が配置される一端部には電源コード７を導入する導入孔１６がベース２２とカバー２３との間に形成されており、導入孔１６にはベース２２とカバー２３との間に挟持される形でブッシング２７が取り付けられる。
【００６２】
内ベース１０は、外ベース１１の内底面に突設された４個の位置決めリブ５０がそれぞれ挿入されるように凹設された位置決め凹部５１を有し、位置決め凹部５１に位置決めリブ５０が挿入されることによって外ベース１１に対して位置決めされる。外ベース１１は、内底面におけるハウジング２の幅方向に隣接する位置決めリブ５０の間にそれぞれ突設された内ベース側ボス５２と結合ボス５３とを、位置決めリブ５０を位置決め凹部５１に挿入した状態で内ベース１０に貫設された組立孔５４にそれぞれ挿入する。ハウジング２の長手方向においてブッシング２７を設けた一端部とは反対寄りに設けられた内ベース側ボス５２には、図１０（ｂ）に示すように、組立ねじ１５が挿通されるねじ挿通孔５５が形成されている。ねじ挿通孔５５は外ベース１１の内底面においてブッシング２７が設けられる長手方向の一端部に突設された外ベース側ボス５６にも形成されている。
【００６３】
内ベース側ボス５２のねじ挿通孔５５に挿通される組立ねじ１５が内カバー１２の内側面に突設した２個の内カバー側ボス５７（図１２（ｂ）参照）の一方に形成されたねじ穴に螺合することによって、外ベース１１および内カバー１２の間に内ベース１０を挟持する形で内ベース１０と外ベース１１と内カバー１２とが結合される。他方の内カバー側ボス５７の先端部には内ベース１０の結合ボス５３の先端部が嵌合する。外ベース側ボス５６のねじ挿通口５５に挿通される組立ねじ１５が外カバー１３の内側面に突設した外カバー側ボス５８（図２６参照）に形成されたねじ穴に螺合することによって、外ベース１１と外カバー１３とが結合される。
【００６４】
ところで、内カバー１０は、図９のＡ−Ａ断面図である図１３に示すように、ハウジング２の幅方向の一端部において外カバー１３における開口部２６の周縁に底面２１側の外側面を当接させるようにして開口部２６に挿入される。ここで、内カバー１０における開口部２６から露出する部位の周部は開口部２６より大きく形成されている。外カバー１３は、ハウジング２の幅方向の他端部において内側面に突設された受け片１７を、内カバー１０に形成された底面２１から離れる向きに外カバー１３との隙間を小さくする段差２９に対して底面２１側から当接させている。この構造では、プラグやＡＣアダプタをコンセント口に接続する際に内カバー１２に対して栓刃を挿入する向きに作用する荷重を耐衝撃部２５としての外カバー１３で受けることができる。
【００６５】
導電部材６は、内ベース１０および内カバー１２を組み合わせた状態で、図１４に示すように、内ベース１０および内カバー１２の外側に接続片６２を配置している。すなわち、図１３のように、接続片６２を耐熱部２４（内ベース１０および内カバー１２）と耐衝撃部２５（外ベース１１および外カバー１３）との間に配置し、接続片６２を耐熱部２４で覆う場合に比べて耐熱部２４を小さくしている。ここで、接続片６２に連続する連結片６３は、内ベース１０および内カバー１２のそれぞれに形成された接続用切欠６４を通して内ベース１０および内カバー１２の内側に引き込まれる。
【００６６】
内ベース１０および内カバー１２は、図１２に示すように、内ベース１０の内側面にハウジング２の長手方向に直交するように形成されたベース側仕切壁６５と内カバー１２の内側面にハウジング２の長手方向に直交するように形成されたカバー側仕切壁６６とによって、刃受けばね６０を収納する収納空間６７をハウジング２の幅方向に隣接する刃受けばね６０、すなわち連結片６３で連結された刃受けばね６０ごとに仕切っている。内カバー１０においては、収納空間６７を機能面２０ごとに仕切る縦壁６８も形成されている。
【００６７】
内ベース１０におけるベース側仕切壁６５の間には、それぞれハウジング２の長手方向に直交する連結片載置壁６９が形成されており、連結片載置壁６９における底面２１と反対側の端面には両機能面２０の交差角度と同じ角度に交わる２面で凸状に形成された矯正突起１８が設けられる。さらに、縦壁６８における矯正突起１８と対向する部位には両機能面２０の交差角度と同じ角度に交わる２面で形成された矯正凹部１９が設けられている。この構成では、全ての連結片６３を矯正突起１８と矯正凹部１９との間に挟持することによって全ての連結片６３をばらつくことなく両機能面２０の交差角度と同じ角度に曲げた状態に保持できる。縦壁６８における矯正突起１８と対向する部位は、図１３に示すようにハウジング２の幅方向に延長される。
【００６８】
（実施形態３）
本実施形態のテーブルタップは、ハウジング２の幅方向に隣接する刃受けばね６０同士を連結片６３で接続する構成に代えて、図１５に示すように、各機能面２０ごとに一対の導電部材６を備え同極の導電部材６同士をリード線９で接続した点が実施形態１のテーブルタップと相違する。
【００６９】
本実施形態では、図１６に示すように、端子部６１を有する導電部材６は１組だけであって、他の導電部材６には端子部６１を設けていない。刃受けばね６０の配置および極性は実施形態１のものと同様であって、それぞれの刃受けばね６０がハウジング２の幅方向に隣接する導電部材６同士を同極としてリード線９によって接続している。リード線９は、図１５に示すように、ハウジング２の長手方向において端子部６１とは反対側の一端部において、導電部材６の接続片６２同士を接続するように設けられている。この構成では、端子部６１のない導電部材６をハウジング２の幅方向に増設し接続片６２同士をリード線９で接続することによって、ハウジング２の幅方向にコンセント口を増設することができる。また、リード線９に代えて端子板等で導電部材６同士を接続してもよい。全ての導電部材６は、図１７に示すように、内ベース１０の外側に接続片６２を配置している。
【００７０】
また、各機能面２０ごとに刃受けばね６０のピッチが異なる導電部材６を用いることによって、図１８に示すように、ハウジング２の長手方向に隣接する複数組の栓刃挿入口１のピッチＰ１、Ｐ３が機能面２０ごとに異なるテーブルタップを構成することもできる。このテーブルタップでは、ハウジング２の幅方向においてピッチが狭い機能面２０側にブッシング２７および端子部６１を設けることによって、ハウジング２の幅方向の他方においては、端子部６１を設ける空間が不要になりハウジング２の長手方向の一端に寄せて各栓刃挿入口１を設けることができるので、ハウジング２の長手方向の寸法を小さくすることができる。その他の構成および機能は実施形態１と同様である。
【００７１】
（実施形態４）
本実施形態のテーブルタップは、図１９に示すように、ハウジング２をカバー２３の形状の耐熱部２４とベース２２の形状の耐衝撃部２５とで構成した点が実施形態１のテーブルタップと相違する。この構成によれば、ハウジング２に対して耐熱性と耐衝撃性とを併せ持たせながらも、ベース２２とカバー２３との２部材でハウジング２を構成することができ、部材点数を増加させることがない。その他の構成および機能は実施形態１と同様である。
【００７２】
（実施形態５）
本実施形態のテーブルタップは、図２０に示すように、ハウジング２の幅方向における両端部に設けた各機能面２０がそれぞれハウジング２の幅方向の各一端に向かって底面２１に近づくように傾斜している点が実施形態１のテーブルタップと相違する。両機能面２０は、屋根状になるように同じ角度で傾斜している。この構成によれば、機能面２０のうち１面だけを傾斜させた構成に比べて、ハウジング２の幅方向の寸法をさらに小さくすることができる。その他の構成および機能は実施形態１と同様である。
【００７３】
（実施形態６）
本実施形態のテーブルタップは、図２１に示すように、３面の機能面２０を有することによって、ハウジング２の幅方向に３組の栓刃挿入口１を並設している点が実施形態１のテーブルタップと相違する。すなわち、図のように栓刃挿入口１をハウジング２の長手方向に３組ずつ配置した場合には、合計９組の栓刃挿入口１を設けることができる。
【００７４】
また、本実施形態では、実施形態４のものと同様に、ハウジング２の幅方向における両端部に設けた各機能面２０をそれぞれ傾斜させることによって、ハウジング２の幅方向の寸法を比較的小さくしている。その他の構成および機能は実施形態１と同様である。
【００７５】
（実施形態７）
本実施形態のテーブルタップは、図２２に示すように、複数組の栓刃挿入口１に接続する複数の電気機器への通電を一括してオンオフする電源スイッチ４が付加されたものである。本実施形態における電源スイッチ４は、オンオフを反転させるように操作される操作部４０と、直方体状のスイッチケース４１（図２５参照）とを備えたシーソースイッチであって、電源コード７と導電部材６との間に接続されている。
【００７６】
本実施形態では、底面２１に平行する機能面２０は、他方の機能面２０よりハウジング２の長手方向に長く、ハウジング２の長手方向におけるブッシング２７と反対側の一端部において他方の機能面２０の長手方向の一端に連続するようにハウジング２の長手方向に延設される。さらに、ハウジング２の長手方向の一端部において、底面２１に平行する機能面２０はハウジング２の幅方向の両端間に亙って延設される。電源スイッチ４は、このハウジング２の長手方向の一端部において、スイッチケース４１の長手方向をハウジング２の幅方向に一致させる向きに配設され、機能面２０から操作部４０を露出させて固定される。
【００７７】
ところで、本実施形態では、電源スイッチ４はハウジング２の長手方向におけるブッシング２７と反対側の一端部に設けられるので、電源スイッチ４と端子部６１とがハウジング２の長手方向の両端部に分かれて設けられることになり、電源スイッチ４と端子部６１とを１箇所に設ける場合に比べて電源スイッチ４と端子部６１とのそれぞれに対する電源コード７の結線が容易になるから、電源スイッチ４および端子部６１の周囲に電源コード７の結線用に空間を確保する必要がなく、ハウジング２を小型化することができる。
【００７８】
また、図２３に示すように、ハウジング２の長手方向におけるブッシング２７と反対側の一端部に、機能面２０から連続しハウジング２の長手方向の一端に向かって底面２１に近づくように傾斜する傾斜面２８を設け、傾斜面２８から操作部４０を露出させるように電源スイッチ４を配設することもできる。電源スイッチ４は、スイッチケース４１の長手方向を傾斜面２８の傾斜方向に交差させる向きに配設される。
【００７９】
傾斜面２８に電源スイッチ４を配置することによって、図２３（ｂ）のようにハウジング２の底面２１を下方に向けた場合に、底面２１に平行する機能面２０より上方に電源スイッチ４の操作部４０が突出することがない。このように電源スイッチ４を配設することによって、ハウジング２の底面２１を下方に向けてテーブルタップを使用する場合に、ハウジング２の機能面２０側に対する落下物等によって電源スイッチ４の操作部４０が誤って操作されることを防止できる。しかも、ハウジング２の底面２１に直交する向きの寸法を比較的小さくすることができる。
【００８０】
また、図示しないが、ハウジング２の長手方向におけるブッシング２７と反対側の一端部の端面から操作部４０を露出させるように電源スイッチ４を配設しても、ハウジング２の機能面２０側に対する落下物によって操作部４０が誤って操作されることを防止できる。その他の構成および機能は実施形態１と同様である。
【００８１】
（実施形態８）
本実施形態のテーブルタップは、図２４に示すように、耐熱部２４を複数組の栓刃挿入口１に跨る形で連続させて形成した点が実施形態７のテーブルタップと相違している。この構成による効果は、実施形態２に示したものと同様であるからここでは省略する。その他の構成および機能は実施形態７と同様である。
【００８２】
以下では、本実施形態のテーブルタップを示す図面を参照して、上述のように電源スイッチ４を付加したテーブルタップの具体的な構造について説明する。
【００８３】
電源スイッチ４は、図２５に示すように、スイッチケース４１の長手方向の両側面にスイッチケース４１の長手方向の寸法を広げる向きに復帰力を生じるようにばね付勢された抜止ばね片４２を備えており、ハウジング２の外カバー１３に形成された長方形状の取付孔４３に嵌入されることによって抜止ばね４２を抜け止めとしてハウジング２に固定される。
【００８４】
外カバー１３の内側面においては、図２６に示すように、取付孔４３と開口部２６との間に組立ねじ１５が螺合するねじ穴を有する外カバー側ボス５８が設けられている。外ベース１３の内底面においては、図２５に示すように、ハウジング２の長手方向におけるブッシング２７を設けた一端部とは反対寄りに、ねじ挿通孔５５を有する外ベース側ボス５６が突設されている。ここで、組立ねじ１５を外ベース側ボス５６のねじ挿通孔５５を通して外カバー側ボス５８のねじ穴に螺合させることによって、電源スイッチ４の操作時に力がかかる電源スイッチ４の近傍で外ベース１１と外カバー１３とを結合するようにしている。また、本実施形態では、実施形態２で説明したものに対して外ベース１１に突設される内ベース側ボス５２と結合ボス５３との位置を互いに入れ替えており、ねじ挿通孔５５を有する内ベース側ボス５２がハウジング２の長手方向においてブッシング２７を設けた一端寄りに突設される。
【００８５】
導電部材６は、図２６に示すように、ハウジング２の長手方向において端子部６１と反対側の端部に、電源スイッチ４に結線されたスイッチ用リード線４６を結線する結線部４７を有している。電源スイッチ４は、電源コード７と一方の導電部材６との間を開閉するように接続されている。図２６に示すものでは、他方の導電部材６に対しても電源スイッチ４を接続することによって、電源スイッチ４の開閉状態を示すランプ（図示せず）を動作させる電源を電源スイッチ４に供給するようにしている。
【００８６】
電源スイッチ４とブッシング２７とはハウジング２の長手方向の両端部に分かれて設けられているので、ハウジング２の内部においては、図２６に示すように電源コード７がハウジング２の長手方向の両端部間に亙って引き回されることになる。ここで、図２４のＡ−Ａ断面図である図２７に示すように、ハウジング２の内部において電源コード７が通る空間と刃受けばね６０が収納された空間とは内ベース１０に設けた防護壁４４によって仕切られている。したがって、図２７に２点鎖線で示すように栓刃挿入口１にピン４５などを挿入しても電源コード７を傷つけることはなく、しかも栓刃挿入口１を通して外方から電源コード７が視認されることがないので見映えもよい。
【００８７】
（実施形態９）
本実施形態のテーブルタップは、図２８に示すように、電源スイッチ４を２個備える点が実施形態７のテーブルタップと相違する。
【００８８】
２個の電源スイッチ４は、ともにスイッチケース４１の長手方向をハウジング２の長手方向に一致させる向きに、各機能面２０にそれぞれ配置される。本実施形態では、ハウジング２内において、各機能面２０にそれぞれ列設された複数組の栓刃挿入口１に対応する複数組の刃受けばね６０同士が電気的に接続されている。各電源スイッチ４は、互いに電気的に接続された複数組の刃受けばね６０ごとの通電をオンオフするように接続される。
【００８９】
この構成によれば、複数の電気機器を接続した場合に、各機能面２０の複数組の栓刃挿入口１に接続された電気機器ごとに通電をオンオフすることができるので、余分な電気機器への通電を防止することができる。その他の構成および機能は実施形態７と同様である。
【００９０】
（実施形態１０）
本実施形態のテーブルタップは、図２９に示すように、実施形態９に示したテーブルタップに対して電源スイッチ４を１個省略し、実施形態９で電源スイッチ４が配置されていた部位に一対の栓刃挿入口１を設けたものであって、栓刃挿入口１の組数が実施形態９に比べて多くなっている。
【００９１】
また、実施形態９で電源スイッチ４が配置されていた部位に、図３０に示すように、各組の栓刃挿入口１に接続される電気機器名を記載するネーム部５を設けてもよい。ネーム部５は、図に示すような、一般的な電気機器（たとえば、テレビやステレオや携帯電話やビデオなど）の名称が記載されたシールを、テーブルタップの本体商品に同梱させる形態としてもよい。ネーム部５を視認することによって、各組の栓刃挿入口１に何が接続されているのかが一目瞭然となる。
【００９２】
また、図示していないが、実施形態９で電源スイッチ４が配置されていた部位において、電源コード７と導電部材６との間で過電流や短絡電流のような異常電流が通過すると刃受けばね６０への通電を遮断するブレーカを電源スイッチ４に代えてハウジング２内に収納することもできる。その他の構成および機能は実施形態７と同様である。
【図面の簡単な説明】
【００９３】
【図１】本発明の実施形態１の構成を示し、（ａ）は上面図、（ｂ）は正面図、（ｃ）は側面図である。
【図２】同上のカバーを外した状態の上面図である。
【図３】同上の導電部材の上面図である。
【図４】同上の要部を示す斜視図である。
【図５】同上のテーブルタップにＡＣアダプタとプラグとを接続する例を示す斜視図である。
【図６】同上のテーブルタップにＡＣアダプタを接続する例を示し、（ａ）は上面図、（ｂ）は側面図である。
【図７】同上の他の構成を示し、（ａ）は上面図、（ｂ）は正面図、（ｃ）は側面図である。
【図８】同上のさらに他の構成を示し、（ａ）は上面図、（ｂ）は正面図、（ｃ）は側面図である。
【図９】本発明の実施形態２の構成を示し、（ａ）は上面図、（ｂ）は正面図、（ｃ）は側面図である。
【図１０】同上の構成を示す斜視図である。
【図１１】同上の構成を示す分解斜視図である。
【図１２】（ａ）は同上の内ベースを示す斜視図、（ｂ）は同上の内カバーを示す斜視図である。
【図１３】図９のＡ−Ａ断面図である。
【図１４】同上の要部を示す斜視図である。
【図１５】本発明の実施形態３のカバーを外した状態の上面図である。
【図１６】同上の導電部材の上面図である。
【図１７】同上の導電部材の斜視図である。
【図１８】同上の他の構成を示し、（ａ）は上面図、（ｂ）は正面図、（ｃ）は側面図である。
【図１９】本発明の実施形態４の構成を示し、（ａ）は上面図、（ｂ）は正面図、（ｃ）は側面図である。
【図２０】本発明の実施形態５の構成を示し、（ａ）は上面図、（ｂ）は正面図、（ｃ）は側面図、（ｄ）は背面図である。
【図２１】本発明の実施形態６の構成を示し、（ａ）は上面図、（ｂ）は正面図、（ｃ）は側面図、（ｄ）は背面図である。
【図２２】本発明の実施形態７の構成を示し、（ａ）は上面図、（ｂ）は正面図、（ｃ）は側面図である。
【図２３】同上の他の構成を示し、（ａ）は上面図、（ｂ）は正面図、（ｃ）は側面図である。
【図２４】本発明の実施形態８の構成を示し、（ａ）は上面図、（ｂ）は正面図である。
【図２５】同上の構成を示す分解斜視図である。
【図２６】同上の外ベースを外した状態の下面図である。
【図２７】図２４のＡ−Ａ断面図である。
【図２８】本発明の実施形態９の構成を示し、（ａ）は上面図、（ｂ）は正面図、（ｃ）は側面図である。
【図２９】本発明の実施形態１０の構成を示し、（ａ）は上面図、（ｂ）は正面図、（ｃ）は側面図である。
【図３０】同上の他の構成を示し、（ａ）は上面図、（ｂ）は正面図、（ｃ）は側面図である。
【図３１】従来例を示し、（ａ）は上面図、（ｂ）は側面図である。
【符号の説明】
【００９４】
１  栓刃挿入口
２  ハウジング
３  ＡＣアダプタ
４  電源スイッチ
５  ネーム部
６  導電部材
７  電源コード
１７  受け片
１８  矯正突起
１９  矯正凹部
２０  機能面
２１  底面
２２  ベース
２３  カバー
２４  耐熱部
２５  耐衝撃部
２８  傾斜面
３０  栓刃
３１  接続コード
３２  アダプタ本体
４０  操作部
４１  スイッチケース
６０  刃受けばね
６１  端子部
６２  接続片
６３  連結片
【図１】
2005203330.tif 000003
【図２】
2005203330.tif 000004
【図３】
2005203330.tif 000005
【図４】
2005203330.tif 000006
【図５】
2005203330.tif 000007
【図６】
2005203330.tif 000008
【図７】
2005203330.tif 000009
【図８】
2005203330.tif 000010
【図９】
2005203330.tif 000011
【図１０】
2005203330.tif 000012
【図１１】
2005203330.tif 000013
【図１２】
2005203330.tif 000014
【図１３】
2005203330.tif 000015
【図１４】
2005203330.tif 000016
【図１５】
2005203330.tif 000017
【図１６】
2005203330.tif 000018
【図１７】
2005203330.tif 000019
【図１８】
2005203330.tif 000020
【図１９】
2005203330.tif 000021
【図２０】
2005203330.tif 000022
【図２１】
2005203330.tif 000023
【図２２】
2005203330.tif 000024
【図２３】
2005203330.tif 000025
【図２４】
2005203330.tif 000026
【図２５】
2005203330.tif 000027
【図２６】
2005203330.tif 000028
【図２７】
2005203330.tif 000029
【図２８】
2005203330.tif 000030
【図２９】
2005203330.tif 000031
【図３０】
2005203330.tif 000032
【図３１】
2005203330.tif 000033